(57)【特許請求の範囲】
【請求項１】
（Ａ）被測定物に電圧を印加し、部分放電を発生させ、放電電圧を一定の時間間隔τで測定し、横軸に時間、縦軸に放電の大きさをとって時系列で表して部分放電時系列データとするステップと、
（Ｂ）この部分放電時系列データから、部分放電が非連続に開始する時間の時間間隔を計測し、部分放電パルスの発生時間間隔とするステップと、
（Ｃ）部分放電パルスの発生時間間隔を順にＴ1、Ｔ2、・・・、Ｔn、Ｔn+1、・・・とし、ｎの値を１から順に従って、Ｔnの値を横軸に、Ｔn+1の値を縦軸にプロットしてなるリターンプロットを作成するステップと、
（Ｄ）リターンプロット上に現れるプロット点の集中状態に基づいて部分放電の状態を診断するステップを有することを特徴とする部分放電状態診断方法。
【請求項２】
前記（Ｄ）のステップで、実際に得られたリターンプロットと、既知の部分放電発生状態を示すプロット点集中状態が現れているリターンプロットとを比較することにより、部分放電の状態を診断することを特徴とする請求項１に記載の部分放電状態診断方法。
【請求項３】
被測定物に印加する電圧を変化させ、複数の印加電圧値の下で、発生する部分放電の状態を診断することを特徴とする請求項１又は２に記載の部分放電状態診断方法。
【発明の詳細な説明】
【０００１】
【産業上の利用分野】
この出願の発明は部分放状態診断方法に関するものである。さらに詳しくは、この出願の発明は、高電圧機器等の初期欠陥や劣化状態の診断などに有用な、部分放電の状態を容易に、且つ高精度で診断することができる、新しい部分放電状態診断方法に関するものである。
【０００２】
【従来の技術とその課題】
一般に、高電圧機器の絶縁体には大きな電圧ストレスがかかり、その中に欠陥があると、その欠陥箇所から部分放電が発生し絶縁寿命を著しく害してしまう。そのため、高電圧機器を使用するに当たっては、初期欠陥や劣化状態の診断を精度良く行う必要がある。
【０００３】
従来より、このような欠陥を診断する方法としては、様々なものが開発、研究されてきており、たとえば、部分放電を用いた診断方法が知られている。
この診断方法は、部分放電が発生する状況が部分放電が発生している絶縁体中の欠陥の種類や状態によって大きく変化することを利用した方法であり、具体的には、たとえば、平均放電電荷や最大放電電荷、または印加電圧が交流の場合には印加電圧位相角などに対する平均放電電荷分布などに基づいて診断をするものである。これは、いわゆるパルス群の統計解析である。
【０００４】
一方、近年のコンピュータ計測技術の進歩により、部分放電パルス発生の時系列解析を行うことが可能となってきた。この時系列解析としては、たとえば自己相関関数やカオス性に注目してパルス発生状況を把握することなどが試みられている。
【０００５】
そこで、この出願の発明は、以上の通りの従来技術の欠点を鑑みてなされたものであり、高電圧機器等における欠陥や劣化状態に従った部分放電の発生状態を容易に、且つ高精度で把握、診断して、高電圧機器等の欠陥や劣化状態を精度良く診断することができる、新しい部分放電状態診断方法を提供することを目的としている。
【０００６】
【課題を解決するための手段】
この発明は、上記の課題を解決するものとして、（Ａ）被測定物に電圧を印加し、部分放電を発生させ、放電電圧を一定の時間間隔τで測定し、横軸に時間、縦軸に放電の大きさをとって時系列で表して部分放電時系列データとするステップと、（Ｂ）この部分放電時系列データから、部分放電が非連続に開始する時間の時間間隔を計測し、部分放電パルスの発生時間間隔とするステップと、（Ｃ）部分放電パルスの発生時間間隔を順にＴ1、Ｔ2、・・・、Ｔn、Ｔn+1、・・・とし、ｎの値を１から順に従って、Ｔnの値を横軸に、Ｔn+1の値を縦軸にプロットしてなるリターンプロットを作成するステップと、（Ｄ）リターンプロット上に現れるプロット点の集中状態に基づいて部分放電の状態を診断するステップを有することを特徴とする部分放電状態診断方法（請求項１）を提供する。
また、この発明は、上記発明において、前記（Ｄ）のステップで、実際に得られたリターンプロットと、既知の部分放電発生状態を示すプロット点集中状態が現れているリターンプロットとを比較することにより、部分放電の状態を診断することを特徴とする部分放電状態診断方法（請求項２）を提供する。
さらに、この発明は、上記発明において、被測定物に印加する電圧を変化させ、複数の印加電圧値の下で、発生する部分放電の状態を診断することを特徴とする請求項１又は２に記載の部分放電状態診断方法（請求項３）を提供する。
【０００７】
【発明の実施の形態】
ここで、この発明の部分放電状態診断方法における診断手順について説明する。
図１（ａ）（ｂ）は、各々、この発明の診断方法において用いられる部分放電時系列データおよび部分放電開始間隔の一例を示した概略図である。
【０００８】
まず、この発明の診断方法では、高電圧機器等から検出された部分放電パルスの発生時間間隔を求める。
この測定は、たとえば以下のように行うことができる。
＜Ｉ＞高電圧機器等が発生する部分放電を、たとえば、τ秒程度の間隔で測定し、図１（ａ）に例示したように、横軸に時間、縦軸に放電の大きさ（たとえば放電電荷）をとって時系列で表して、部分放電時系列データとする。図１（ａ）では、この部分放電時系列データは連続値として示されているが、もちろん、測定τ秒間隔での離散値のままプロットされていてもよい。なお、測定間隔τは、たとえば１００マイクロ秒以下程度とすることができる。
【０００９】
＜II＞この部分放電時系列データから、図１（ｂ）に例示したように、部分放電が非連続的に開始する時間に着目し、その部分放電開始の時間間隔を計測する。この時間間隔が、部分放電パルスの発生時間間隔となる。
そして、この発明の診断方法では、上述のように計測された部分放電パルスの発生時間間隔に基づくリターンプロットを用いて部分放電の発生状態を診断する。
【００１０】
＜Ｉ＞まず、たとえば、部分放電パルスの発生時間間隔を、順にＴ1 ，Ｔ2 ，・・・，Ｔn ，Ｔn+1 ，・・・とし、ｎの値を１から順に従って、Ｔn の値を横軸に、Ｔn+1 の値を縦軸にプロットして、リターンプロットを作成する。
より具体的には、まずはじめに、ｎの値を１とし、Ｔ1 の値を横軸に、Ｔ2 の値を縦軸にプロットする。次に、Ｔ2 の値を横軸に、Ｔ3 の値を縦軸にプロットする。次に、Ｔ3 の値を横軸に、Ｔ4 の値を縦軸にプロットする。このようにして、順次、ｎに従って横軸および縦軸へのプロットを行い、リターンプロットを作成する。
【００１１】
＜II＞そして、このリターンプロットを用いて部分放電の発生状態を診断する。
リターンプロット上には、部分放電の発生状態に従って、プロット点の集中状態が異なって現れるようになる。したがって、部分放電時系列データから得られた部分放電間隔のリターンプロット上に現れるプロット点の集中状態によって、部分放電の状態を簡単に診断することができる。
【００１２】
たとえば、既知の部分放電発生状態を示すプロット点集中状態が現れているリターンプロット（以下、既知リターンプロットと呼ぶこととする。）を用い、この既知リターンプロットと実際に得られたリターンプロットとを比較することで、実際の部分放電の発生状態がどのようなものかを診断することができる。
なお、上述したリターンプロットは縦軸および横軸へのプロットにより作成される二次元的なものとなっているが、この二次元リターンプロットに限らず、三次元・・・ｎ次元的にプロットしてなる三次元・・・ｎ次元リターンプロットとしてもよく、この場合にも、部分放電の発生状態に従ったプロット点の集中状態が現れるので、部分放電状態を精度良く、簡単に診断することができる。
【００１３】
図２は、上述したこの発明の部分放電状態診断方法を用いた診断システムの一例を示したものである。
この図２に例示した診断システムにおいては、たとえば、高電圧印加手段（１）、部分放電測定手段（２）、部分放電パルス発生時間間隔計測手段（３）、リターンプロット作成手段（４）、部分放電発生状態判定手段（５）、および既知リターンプロット蓄積手段（６）が備えられており、高電圧印加手段（１）により、部分放電を発生する高電圧機器等における欠陥部分などである被測定物（７）に、その部分放電を発生させるための高電圧が印加され、部分放電測定手段（２）により部分放電が測定され、次いで、部分放電パルス発生時間間隔計測手段（３）によって、測定された部分放電から部分放電パルスの発生時間間隔が計測され、さらに、リターンプロット作成手段（４）によって、たとえば上述したように、部分放電パルスの発生時間間隔に基づいてリターンプロットが作成される。そして、部分放電状態判定手段（５）により、作成された実際のリターンプロットと、既知リターンプロット蓄積手段（６）に予め格納されている複数の既知リターンプロトとが比較されて、一致すると判定された既知リターンプロットが表す部分放電発生状態で、実際の被測定物（７）から部分放電が発生していると診断される。
【００１４】
このようにして、図２に例示したこの発明の方法を用いた診断システムにより、部分放電の発生状態が、容易、且つ的確に診断される。
以下、添付した図面に沿って実施例を示し、この発明の実施の形態についてさらに詳しく説明する。
【００１５】
【実施例】
（実施例１）
この発明の部分放電状態診断方法によって、高電圧機器絶縁中の欠損を想定し、その欠損から発する部分放電の状態を診断した。
本実施例において用いた欠損モデルは、図３に例示したように、厚さ０．１２５ｍｍのポリエステルフィルム（８）を、その両面から、平板状電極（９）および直径２０φの円筒状電極（１０）で挟むようにして形成されたものであり、平板状電極（９）は接地され、円筒状電極（１０）には交流高電圧が印加されるようになっている。
【００１６】
このような欠損モデルにおいて、印加する電圧値を変えて行き、発生する部分放電の状態を診断する。本実施例では、印加電圧を１．０５ＫＶ、１．６０ＫＶおよび１．９７ＫＶとした。
まず、各印加電圧において、放電電圧を５マイクロ秒間隔で測定する。
図４、図５および図６は、それぞれ、印加電圧１．０５ＫＶ、印加電圧１．６０ＫＶおよび印加電圧１．９７ＫＶの時に発生した部分放電の電荷を時系列で例示したものである。つまり、部分放電時系列データである。
【００１７】
次に、これらの部分放電時系列データから、非連続的な部分放電開始の時間間隔を抜き出す。つまり部分放電パルスの発生時間間隔を計測する。
図７、図８および図９は、それぞれ、図４、図５および図６の部分放電時系列データ、つまり印加電圧１．０５ＫＶ、印加電圧１．６０ＫＶおよび印加電圧１．９７ＫＶ時の部分放電時系列データに対応する放電間隔を例示したものである。
【００１８】
これらの図から明らかなように、部分放電は、交流印加電圧に依存して発生していることがわかるが、その発生要因は印加電圧だけでなく、たとえば前回までの部分放電発生による電荷の移動、生成ガス、表面への体積物、放電の遅れなどの様々な原因が絡み合って放電の瞬間と大きさが決められているため、必ずしも交流５０Ｈｚの周期と同期した放電が、生じているわけではない。
【００１９】
そして、図７、図８および図９の放電間隔から、リターンプロットを作成する。図１０、図１１および図１２は、それぞれ、印加電圧１．０５ＫＶ、印加電圧１．６０ＫＶおよび印加電圧１．９７ＫＶ時のリターンプロットを例示したものである。
印加電圧１．０５ＫＶ時のリターンプロットは、図１０に例示した通りとなり、プロット点が３から４箇所程度に集中して現れている。このようなプロット点の集中状態から、図３に例示した欠損モデルの場合では、部分放電が電極周辺に限られた状態になっていることがわかる。
【００２０】
また、印加電圧１．６０ＫＶ時のリターンプロットは、図１１に例示した通りとなり、プロット点が数十箇所に集中して現れており、部分放電が沿面放電も発生している状態であることがわかる。
さらに、印加電圧１．９７ＫＶの時リターンプロットは、図１２に例示した通りとなり、プロット点はほとんどが分散しており、集中してなる群がほぼ存在していないことがわかる。よって、部分放電は、沿面放電が主体となって発生している状態にある。
【００２１】
このようにして、部分放電時系列データから得られた部分放電の発生時間間隔に基づくリターンプロット上におけるプロット点の集中状態によって、部分放電状態の診断を容易に、且つ高精度で行うことができる。
ここで、さらにまた、部分放電の測定間隔τを１００マイクロ秒とし、上述の手順と同様にして、部分放電時系列データから得られる部分放電パルス発生時間間隔に基づくリターンプロットを作成した。測定は、印加電圧１．０５ＫＶおよび１．６０ＫＶ時について行った。
【００２２】
印加電圧１．０５ＫＶ時の放電間隔データのリターンプロットは、図１３に示した通りとなり、プロット点が３〜４箇所程度に集中して現れている。また、印加電圧１．６０ＫＶ時の放電間隔データのリターンプロットは、図１４に示した通りとなり、プロット点が集中してなるプロット群が数十個現れている。
これらの各図と、上述の測定間隔τを５マイクロ秒としたときのリターンプロットとを比較すると、ほとんど同じプロット点の集中状態となっている。したがって、測定間隔τが１００マイクロ秒間隔においても、この発明の診断方法は、精度良く部分放電の状態を診断できることがわかる。
【００２３】
（実施例２）
本実施例２では、図１５に例示したような欠損モデルを用い、上述の実施例１と同様に、各印加電圧値において部分放電を測定間隔τで測定して部分放電時系列データを作成し、この部分放電時系列データから部分放電パルス発生時間間隔データを作り、さらに部分放電パルス発生時間間隔データからリターンプロットを作成して、リターンプロット上に現れるプロット点の集中状態に従って部分放電の状態を診断する。
【００２４】
図１５の欠損モデルは、厚さ０．５ｍｍのポリエステルフィルム（８）の下面に、接地された平板状電極（９）が当接され、その上面に、０．１２５ｍｍのギャップを持って、針状電極（１１）が設けられて形成されている。針状電極（１１）は、直径１φおよび先端曲率２０μｍの針形状を有しており、交流高電圧が印加されるようになっている。
【００２５】
印加電圧は１．００ＫＶ、１．４２ＫＶおよび１．７５ＫＶとし、部分放電の測定間隔τは５マイクロ秒とする。
図１６、図１７および図１８は、それぞれ、印加電圧１．００ＫＶ、印加電圧１．４２ＫＶおよび印加電圧１．７５ＫＶ時のリターンプロットを例示したものである。
【００２６】
これら図１６、図１７および図１８の各リターンプロットから明らかなように、図１５に例示した欠損モデルでは、印加電圧が低い場合は、プロット点が散乱して原点０付近には集中しておらず、部分放電の間隔が大きく、印加電圧を上げていくと、プロット点が原点０付近に集中してくるので、部分放電がより短い間隔で発生するように変化していることがわかる。
【００２７】
ここでは、さらにまた、図１５に例示した欠損モデルにおいて、部分放電の測定間隔τを１００マイクロ秒とした場合について、リターンプロットを作成し、測定間隔τが５マイクロ秒の場合と比較した。
図１９および図２０は、各々、１００マイクロ秒とした場合の印加電圧１．００ＫＶおよび１．７５ＫＶにおけるリターンプロットを例示したものである。
【００２８】
これら図１９および図２０と前記の図１６および１８とを比較すると、測定間隔τが１００マイクロ秒であっても５マイクロ秒であっても、ほぼ同じプロット点の集中状態が得られていることがわかる。
（実施例３）
本実施例３では、図２１に例示したような欠損モデルにおいて、上述の実施例と同様にして、リターンプロットを作成した。部分放電の測定間隔τは５マイクロ秒とし、印加電圧は、１２．０４ＫＶ、１４．４０ＫＶおよび１７．０９ＫＶとした。
【００２９】
図２１の欠損モデルでは、エポキシモールド（１２）に、一対の断面略Ｔ字状電極（１３）および（１４）が２５ｍｍの間隔を持って相対向して配設されており、一方の断面略Ｔ字状電極（１３）は接地され、他方の断面略Ｔ字状電極（１４）には交流高電圧が印加されるようになっている。さらに、他方の断面略Ｔ字状電極（１４）からは、図２１に例示したように、長さ約１０ｍｍ、幅約０．１ｍｍ以下のクラックボイド（１５）が形成されており、いわゆるクラックボイド電極系となっている。
【００３０】
印加電圧１２．０４ＫＶ、１４．４０ＫＶおよび１７．０９ＫＶの時のリターンプロットは、各々、図２２、図２３および図２４に例示した通りとなり、印加電圧が低い時は、プロット点が原点０付近と原点０から離れた箇所に集中しているので、部分放電は短い間隔および長い間隔のものが発生していることがわかり、印加電圧の上昇に伴って、プロット点が原点０付近のみに集中するようになり、部分放電の発生間隔が短くなっていき、より小刻みな部分放電パルスが発生することがわかる。
【００３１】
また、図２５および図２６は、各々、図２１の欠損モデルにおいて、測定間隔τを１００マイクロ秒とした場合における、印加電圧１２．０４ＫＶおよび１７．０９ＫＶ時のリターンプロットを例示したものである。
これら図２５および図２６と前記の図２２および図２４とを比較してわかるように、図２１の欠損モデルにおいても、部分放電を５マイクロ秒から１００マイクロ秒までにおける任意の時間間隔で測定して、各測定間隔でなんら遜色のない部分放電診断を行うことができる。
【００３２】
もちろん、この発明は以上の例に限定されるものではなく、細部については様々な態様が可能であることは言うまでもない。
たとえば、測定間隔τは、実施例で用いた５マイクロ秒や１００マイクロ秒に限定されるものではなく、また、印加電圧も交流でも直流でもよい。
【００３３】
【発明の効果】
以上、詳しく説明したように、この発明の部分放電状態診断方法によって、部分放電の発生状態の診断、たとえば部分放電が電極周辺に限られた状態になっているか、電極から離れた部分にまで達しているか、または、その両放電が混在しいるのかなどのような診断を的確に、且つ容易に行うことができ、電力機器等の初期欠損や絶縁劣化などを高精度で検出し、診断することができる。
【図面の簡単な説明】
【図１】（ａ）（ｂ）は、各々、この発明の部分放電状態診断方法において用いられる部分放電時系列データおよび部分放電開始間隔の一例を示した概略図である。
【図２】この発明の診断方法を用いた診断システムの一例を示した要部構成図である。
【図３】実施例１で用いた欠損モデルを例示した断面図である。
【図４】印加電圧１．０５ｋＶ時の部分放電時系列データを例示した図である。
【図５】印加電圧１．６０ｋＶ時の部分放電時系列データを例示した図である。
【図６】印加電圧１．９７ｋＶ時の部分放電時系列データを例示した図である。
【図７】印加電圧１．０５ｋＶ時の放電間隔データを例示した図である。
【図８】印加電圧１．６７ｋＶ時の放電間隔データを例示した図である。
【図９】印加電圧１．９７ｋＶ時の放電間隔データを例示した図である。
【図１０】印加電圧１．０５ｋＶ時の放電間隔のリターンプロットを例示した図である。
【図１１】印加電圧１．６０ｋＶ時の放電間隔のリターンプロットを例示した図である。
【図１２】印加電圧１．９７ｋＶ時の放電間隔のリターンプロットを例示した図である。
【図１３】測定間隔１００μｓ、印加電圧１．０５ｋＶ時の放電間隔のリターンプロットを例示した図である。
【図１４】測定間隔１００μｓ、印加電圧１．６０ｋＶ時の放電間隔のリターンプロットを例示した図である。
【図１５】実施例２で用いた欠損モデルを例示した断面図である。
【図１６】印加電圧１．００ｋＶ時の放電間隔のリターンプロットを例示した図である。
【図１７】印加電圧１．４２ｋＶ時の放電間隔のリターンプロットを例示した図である。
【図１８】印加電圧１．７５ｋＶ時の放電間隔のリターンプロットを例示した図である。
【図１９】図１５の欠損モデルにおける、測定間隔１００μｓ、印加電圧１．００ｋＶ時の放電間隔のリターンプロットを例示した図である。
【図２０】図１５の欠損モデルにおける、測定間隔１００μｓ、印加電圧１．７５ｋＶ時の放電間隔のリターンプロットを例示した図である。
【図２１】実施例２で用いた別の欠損モデルを例示した断面図である。
【図２２】印加電圧１２．０４ｋＶ時の放電間隔のリターンプロットを例示した図である。
【図２３】印加電圧１４．４０ｋＶ時の放電間隔のリターンプロットを例示した図である。
【図２４】印加電圧１７．０９ｋＶ時の放電間隔のリターンプロットを例示した図である。
【図２５】図２１の欠損モデルにおける、測定間隔１００μｓ、印加電圧１２．０４ｋＶ時の放電間隔のリターンプロットを例示した図である。
【図２６】図２１の欠損モデルにおける、測定間隔１００μｓ、印加電圧１７．０９ｋＶ時の放電間隔のリターンプロットを例示した図である。
【符号の説明】
１  高電圧印加手段
２  部分放電測定手段
３  部分放電パルス発生時間間隔計測手段
４  リターンプロット作成手段
５  部分放電状態判定手段
６  既知リターンプロット蓄積手段
７  被測定物
８  ポリエステルフィルム
９  平板状電極
１０  円筒状電極
１１  針状電極
１２  エポキシモールド
１３  断面略Ｔ字状電極
１４  断面略Ｔ字状電極
１５  クラックボイド
【図１】
0004086955.tif 000002
【図２】
0004086955.tif 000003
【図３】
0004086955.tif 000004
【図４】
0004086955.tif 000005
【図５】
0004086955.tif 000006
【図６】
0004086955.tif 000007
【図７】
0004086955.tif 000008
【図８】
0004086955.tif 000009
【図９】
0004086955.tif 000010
【図１０】
0004086955.tif 000011
【図１１】
0004086955.tif 000012
【図１２】
0004086955.tif 000013
【図１３】
0004086955.tif 000014
【図１４】
0004086955.tif 000015
【図１５】
0004086955.tif 000016
【図１６】
0004086955.tif 000017
【図１７】
0004086955.tif 000018
【図１８】
0004086955.tif 000019
【図１９】
0004086955.tif 000020
【図２０】
0004086955.tif 000021
【図２１】
0004086955.tif 000022
【図２２】
0004086955.tif 000023
【図２３】
0004086955.tif 000024
【図２４】
0004086955.tif 000025
【図２５】
0004086955.tif 000026
【図２６】
0004086955.tif 000027